(57)【要約】【課題】新しく買収された資産又は企業を別の資産又は企業に吸収するための方法及びシステムを提供する。【解決手段】コンピュータで買収統合事業計画を作成するに際し、少なくとも１つのユーザ選択の統合領域に基づいて、各々が買収プロセスにおける段階と関連した複数の所定の統合イベントを表示し、各々のユーザ選択の統合領域について、少なくとも１つのユーザ選択の所定の統合イベントを表示し、各々のユーザ選択の統合領域の担当者名、期限、達成度、及びコメントのうちの少なくとも１つを表示し、該ユーザ選択の所定の統合イベント及び対応する統合領域を統合事業計画として格納する。【選択図】図２
2004535629.tif 000002
【特許請求の範囲】
【請求項１】
コンピュータにおいて買収統合事業計画を作成する方法であって、
少なくとも１つのユーザ選択の統合領域に基づいて、各々が買収プロセスにおける段階と関連して表示される複数の所定の統合イベントを表示し、
各々のユーザ選択の統合領域について、少なくとも１つのユーザ選択の所定の統合イベントを受け取り、
各々のユーザ選択の統合領域について、前記ユーザ選択の所定の統合イベントを表示し、
各々のユーザ選択の所定の統合イベントの担当者名、期限、達成度、及びコメントのうちの少なくとも１つを表示し、
前記ユーザ選択の所定の統合イベントと、各々のユーザ選択の所定の統合イベントの前記担当者名、前記期限、前記達成度、及び前記コメントのうちの少なくとも１つとを、対応する統合領域内に買収統合の事業計画として格納する、
段階を含むことを特徴とする方法。
【請求項２】
前記買収プロセスにおける段階が、デュー・デリジェンス前段階、デュー・デリジェンス段階、署名後／終結前段階、終結後段階、及び業務移行段階を備えることを特徴とする請求項１に記載の方法。
【請求項３】
前記統合事業のユーザ定義の統合イベントを受け取り、
前記統合事業のユーザ定義の統合領域を表示し、
前記ユーザ定義の統合イベントを前記買収統合事業計画内に格納する、
段階をさらに含むことを特徴とする請求項１に記載の方法。
【請求項４】
前記ユーザ定義の統合イベントの格納段階が、少なくとも１つのユーザ定義の統合領域に対応するように該ユーザ定義の統合イベントを格納する段階を含むことを特徴とする請求項３に記載の方法。
【請求項５】
前記所定の統合領域及び所定の統合イベント内に含ませるように、前記ユーザ定義の統合領域及びユーザ定義の統合イベントをシステム管理者に送る段階をさらに含むことを特徴とする請求項４に記載の方法。
【請求項６】
前記買収統合事業計画が、表フォーマット及びウェブページ・フォーマットのうちの少なくとも１つで格納されることを特徴とする請求項１に記載の方法。
【請求項７】
各々の統合イベントの説明を表示する段階をさらに含むことを特徴とする請求項１に記載の方法。
【請求項８】
各々の統合イベントの成果物チェックリストを表示する段階をさらに含むことを特徴とする請求項１に記載の方法。
【請求項９】
少なくとも１つのユーザ選択の統合領域に基づいて、各々が買収プロセスにおける段階と関連した複数の所定の統合イベントを表示し、
各々のユーザ選択の統合領域について、少なくとも１つのユーザ選択の所定の統合イベントを表示し、
各々のユーザ選択の所定の統合イベントの担当者名、期日、達成度、及びコメントのうちの少なくとも１つを表示し、
前記ユーザ選択の所定の統合イベント及び対応する統合領域を買収統合事業計画として格納する、
ようにプログラムされることを特徴とするコンピュータ。
【請求項１０】
前記統合事業のユーザ定義の統合イベントを表示し、前記ユーザ定義の統合イベントを前記買収統合事業計画内に格納するようにさらにプログラムされることを特徴とする請求項９に記載のコンピュータ。
【請求項１１】
少なくとも１つのユーザ定義の統合領域に対応するように前記ユーザ定義の統合イベントを格納するようにさらにプログラムされることを特徴とする請求項１０に記載のコンピュータ。
【請求項１２】
前記所定の統合領域及び所定の統合イベント内に含ませるように、前記ユーザ定義の統合領域及びユーザ定義の統合イベントをシステム管理者に送るようにさらにプログラムされることを特徴とする請求項１１に記載のコンピュータ。
【請求項１３】
表フォーマット及びウェブページ・フォーマットのうちの少なくとも１つで前記買収統合事業計画を格納するようにさらにプログラムされることを特徴とする請求項９に記載のコンピュータ。
【請求項１４】
各々の統合イベントの説明を表示するようにさらにプログラムされることを特徴とする請求項９に記載のコンピュータ。
【請求項１５】
各々の統合イベントの成果物チェックリストを表示するようにさらにプログラムされることを特徴とする請求項９に記載のコンピュータ。
【請求項１６】
少なくとも１つの統合領域に対応するデータと、
各々の統合領域の統合イベントに対応するデータと、
を備えることを特徴とする買収統合のためのデータベース。
【請求項１７】
各々の統合イベントの説明に対応するデータをさらに含むことを特徴とする請求項１６に記載のデータベース。
【請求項１８】
少なくとも１つの統合イベントのサンプル表示に対応するデータをさらに含むことを特徴とする請求項１６に記載のデータベース。
【請求項１９】
買収統合の概要に対応するデータをさらに含むことを特徴とする請求項１６に記載のデータベース。
【請求項２０】
ユーザから受け取ったフィードバックに対応するデータをさらに含むことを特徴とする請求項１６に記載のデータベース。
【請求項２１】
少なくとも１つの統合領域の成果物チェックリストに対応するデータをさらに含むことを特徴とする請求項１６に記載のデータベース。
【請求項２２】
前記統合イベントに対応するデータが、デュー・デリジェンス前、デュー・デリジェンス、署名後／終結前、終結後、及び業務移行の見出しに対応するデータの下にソートされることを特徴とする請求項１６に記載のデータベース。
【請求項２３】
各々の統合イベントについて、統合イベントの担当者名、達成度、期日、及びコメントのうちの少なくとも１つに対応するデータをさらに含むことを特徴とする請求項１６に記載のデータベース。
【請求項２４】
買収統合のためのシステムであって、
少なくとも１つの統合領域の統合イベントに対応するデータを含むデータベースと、
統合領域を選択するようにユーザを促し、前記統合領域内の統合イベントの状態に関する情報を提供するように構成されるサーバと、
を備えることを特徴とするシステム。
【請求項２５】
前記データベースが、各々の統合イベントの担当者名、達成度、期日、及びコメントに対応するデータをさらに含むことを特徴とする請求項２４に記載のシステム。
【請求項２６】
前記データベースが、買収統合の概要、各々の統合イベントの説明、少なくとも１つの統合イベントのサンプル表示、及びユーザから受け取ったフィードバックのうちの少なくとも１つに対応するデータをさらに含むことを特徴とする請求項２４に記載のシステム。
【請求項２７】
前記データベースが、各々の統合領域の成果物チェックリストと、デュー・デリジェンス前、デュー・デリジェンス、署名後／終結前、終結後、及び業務移行のうちの少なくとも１つの統合領域内の統合イベントの見出しのうちの少なくとも１つに対応するデータをさらに含むことを特徴とする請求項２４に記載のシステム。
【請求項２８】
前記サーバが、顧客用コンピュータに表示されることになる複数の統合領域を列挙する画面を生成するように構成されることを特徴とする請求項２４に記載のシステム。
【請求項２９】
統合領域について、前記サーバが、前記顧客用コンピュータに前記統合領域の複数の統合イベントを表示させるように構成されることを特徴とする請求項２８に記載のシステム。
【請求項３０】
前記統合イベントが、デュー・デリジェンス前、デュー・デリジェンス、署名後／終結前、終結後、及び業務移行を含む見出しの下にソートされることを特徴とする請求項２９に記載のシステム。
【請求項３１】
前記サーバが、統合領域の複数の成果物チェックリストを列挙する画面を生成するように構成されることを特徴とする請求項２４に記載のシステム。
【請求項３２】
買収統合計画の方法であって、
電子インターフェースにより、複数の統合領域のうちの少なくとも１つを選択し、
前記電子インターフェースにより、各々の統合領域の担当者を識別し、
前記電子インターフェースにより、統合領域内の統合イベントの各々の担当者及び期日のうちの少なくとも１つを識別し、
前記電子インターフェースにより、各々の統合イベントの達成度を要求する、
段階を含むことを特徴とする方法。
【請求項３３】
前記統合領域が、ビジネス・リーダー、統合管理者、デュー・デリジェンス・リーダー、販売／マーケティング、部品外注、顧客サービス、収集、製造、技術、環境衛生及び安全、修理、リスク管理、シックス・シグマ、情報技術、コミュニケーション、人事戦略、人事労使関係、人事従業員福利、人事補償、監査、法律、知的所有権、資産、ユーロ・プログラム、財務計画、決算報告、税統合、及び保険のうちの少なくとも１つを含むことを特徴とする請求項３２に記載の方法。
【請求項３４】
前記電子インターフェースにより、統合イベントの説明を要求する段階をさらに含むことを特徴とする請求項３２に記載の方法。
【請求項３５】
前記電子インターフェースを用いて、少なくとも１つのサンプル表示を統合イベントに添付する段階をさらに含むことを特徴とする請求項３２に記載の方法。
【請求項３６】
前記電子インターフェースにより、統合領域の成果物チェックリストを要求する段階をさらに含むことを特徴とする請求項３２に記載の方法。
【請求項３７】
買収統合に関するコメントを前記電子インターフェースに入力する段階をさらに含むことを特徴とする請求項３２に記載の方法。
【請求項３８】
ユーザに少なくとも１つの統合領域を選択するように促すための手段と、
前記選択される統合領域の複数の統合イベントを表示するための手段と、
選択される統合イベントを用いて統合買収事業計画を作成するための手段と、
を備えることを特徴とする装置。
【請求項３９】
統合イベントの複数のサブイベントを表示するための手段をさらに備えることを特徴とする請求項３８に記載の装置。
【請求項４０】
各々の統合領域の担当者名を表示するための手段をさらに備えることを特徴とする請求項３８に記載の装置。
【請求項４１】
選択される統合イベントの説明を表示するための手段をさらに備えることを特徴とする請求項３８に記載の装置。
【請求項４２】
他の統合事業からのサンプル表示を表示するための手段をさらに備えることを特徴とする請求項３８に記載の装置。
【請求項４３】
前記サンプル表示が、前記装置内に格納されるファイルであることを特徴とする請求項４２に記載の装置。
【請求項４４】
買収統合を管理し、買収の相乗効果、顧客の満足、及び卓越した業務を達成するように、コンピュータ可読媒体上で具体化されるコンピュータ・プログラムであって、
買収統合のために統合領域を管理し、
各々の統合領域の統合イベントを組織化し、
ユーザ選択の統合領域に基づいて、１組の統合イベント及び成果物チェックリストを含む買収統合計画を作成し、統合プロセスを通じてユーザを案内する、
コード・セグメントを備えることを特徴とするコンピュータ・プログラム。
【請求項４５】
ユーザが、各々の統合イベントの担当者名、達成度、期日、及びコメントを入力することを可能にするコード・セグメントをさらに備えることを特徴とする請求項４４に記載のコンピュータ・プログラム。
【請求項４６】
各々の統合イベントの説明に関する記録を管理するコード・セグメントをさらに備えることを特徴とする請求項４４に記載のコンピュータ・プログラム。
【請求項４７】
少なくとも１つの統合イベントのサンプル表示に関する記録を管理するコード・セグメントをさらに備えることを特徴とする請求項４４に記載のコンピュータ・プログラム。
【請求項４８】
買収統合の概要に関する記録を管理するコード・セグメントをさらに備えることを特徴とする請求項４４に記載のコンピュータ・プログラム。
【請求項４９】
ユーザから受け取ったフィードバックに関する記録を管理するコード・セグメントをさらに備えることを特徴とする請求項４４に記載のコンピュータ・プログラム。
【請求項５０】
少なくとも１つの統合領域の成果物チェックリストに関する記録を管理するコード・セグメントをさらに備えることを特徴とする請求項４４に記載のコンピュータ・プログラム。
【請求項５１】
ネットワークが、ＴＣＰ／ＩＰ及びＩＰＸのうちの少なくとも１つを含むプロトコルを用いて作動可能な広域エリア・ネットワークであることを特徴とする請求項４４に記載のコンピュータ・プログラム。
【請求項５２】
グラフィカル・ユーザ・インターフェースを介して、ユーザからデータを受け取ることを特徴とする請求項４４に記載のコンピュータ・プログラム。
【請求項５３】
データベース内の予め格納される仮定に基づいて、買収統合計画を作成するコード・セグメントをさらに備えることを特徴とする請求項４４に記載のコンピュータ・プログラム。
【請求項５４】
サーバ・システムからダウンロードされるＨＴＭＬ文書を通じて情報を表示するコード・セグメントをさらに備えることを特徴とする請求項４４に記載のコンピュータ・プログラム。
【請求項５５】
集中型データベースにアクセスし、
特定の問い合わせに関するデータベースを検索し、
前記データベースから情報を取り出し、
前記取り出された情報をクライアント・システム上に表示させる、
コード・セグメントをさらに備えることを特徴とする請求項４４に記載のコンピュータ・プログラム。
【請求項５６】
クライアント・システム及びサーバ・システムが、ネットワークを介して接続され、前記ネットワークは、広域エリア・ネットワーク、ローカル・エリア・ネットワーク、イントラネット、及びインターネットのうちの１つであることを特徴とする請求項４４に記載のコンピュータ・プログラム。
【請求項５７】
承認されていない個人へのアクセスを制限することによって、前記システムのセキュリティを監視するコード・セグメントをさらに備えることを特徴とする請求項４４に記載のコンピュータ・プログラム。
【請求項５８】
コンピュータを作動させる方法であって、
買収統合メイン・ユーザ・インターフェースにより、統合領域を選択するようにユーザを促し、
前記選択された統合領域の１組の選択可能な統合イベントを表示し、
選択された統合イベントを組み入れる買収統合事業計画を作成する、
段階を含むことを特徴とする方法。
【請求項５９】
前記買収統合事業計画が、１つ又はそれ以上の統合イベントの統合サブイベントをさらに組み入れることを特徴とする請求項５８に記載の方法。
【請求項６０】
前記選択された統合領域の担当者名を表示する段階をさらに含むことを特徴とする請求項５８に記載の方法。
【請求項６１】
前記１組の選択可能な統合イベントを表示する段階が、選択された統合イベントの説明を含むユーザ・インターフェースを提供する段階をさらに含むことを特徴とする請求項５８に記載の方法。
【請求項６２】
前記選択された統合イベントの説明が、他の買収統合事業からのサンプル表示を含むことを特徴とする請求項６１に記載の方法。
【請求項６３】
前記サンプル表示が、前記コンピュータ内に格納されたファイルであることを特徴とする請求項６２に記載の方法。
【請求項６４】
各々の選択可能な統合イベントが、複数の見出しのうちの少なくとも１つの下に表示され、前記見出しが、デュー・デリジェンス前、デュー・デリジェンス、署名後／終結前、終結後、及び業務移行のうちの少なくとも１つを含むことを特徴とする請求項５８に記載の方法。
【請求項６５】
前記ユーザに統合領域を選択するように促す段階が、ビジネス・リーダー、統合管理者、デュー・デリジェンス・リーダー、販売／マーケティング、電子商取引、顧客サービス、収集、製造、技術、物流管理、環境衛生及び安全、修理、リスク管理、シックス・シグマ、情報技術、コミュニケーション、文化、人事（ＨＲ）戦略、ＨＲ労使関係、ＨＲ従業員福利、ＨＲ補償、ＨＲ雇用慣行、給与福利、海外駐在員管理、旅費及び生活費、法律、知的所有権、コンプライアンス、資産、ユーロ・プログラム、財務計画、決算報告、税統合、監査、及び保険のうちの少なくとも１つを含む統合領域リストを表示する段階を含むことを特徴とする請求項５８に記載の方法。
【請求項６６】
買収統合メイン・ユーザ・インターフェースとして構成されたコンピュータ生成画面から統合領域を選択するようにユーザに促し、
前記選択された統合領域の１組の選択可能な統合イベントを表示し、
ユーザ選択の統合イベントを組み入れる買収統合事業計画を作成する、
ようにプログラムされることを特徴とするコンピュータ。
【請求項６７】
前記統合事業計画内の前記統合イベントのうちの１つ又はそれ以上の統合サブイベントを組み入れるようにさらにプログラムされる請求項６６に記載のコンピュータ。
【請求項６８】
統合領域について、前記コンピュータが、前記選択された統合領域の担当者名を有するコンピュータ生成画面を表示することを特徴とする請求項６６に記載のコンピュータ。
【請求項６９】
選択された統合イベントについて、前記コンピュータが、前記選択された統合イベントの説明をユーザに提供するコンピュータ生成画面を表示するようにプログラムされることを特徴とする請求項６６に記載のコンピュータ。
【請求項７０】
前記統合イベントの説明が、他の統合事業からのサンプル表示を含むことを特徴とする請求項６９に記載のコンピュータ。
【請求項７１】
前記サンプル表示が、前記コンピュータ内に格納されたファイルであることを特徴とする請求項７０に記載のコンピュータ。
【請求項７２】
選択可能な統合イベントを表示するために、前記コンピュータが、デュー・デリジェンス前、デュー・デリジェンス、署名後／終結前、終結後、及び業務移行のうちの少なくとも１つを含む見出しの下に前記選択可能な統合イベントを列挙するコンピュータ生成画面を表示することを特徴とする請求項６６に記載のコンピュータ。
【請求項７３】
ビジネス・リーダー、統合管理者、デュー・デリジェンス・リーダー、販売／マーケティング、電子商取引、顧客サービス、収集、製造、技術、物流管理、環境衛生及び安全、修理、リスク管理、シックス・シグマ、情報技術、コミュニケーション、文化、人事（ＨＲ）戦略、ＨＲ労使関係、ＨＲ従業員福利、ＨＲ補償、ＨＲ雇用慣行、給与福利、海外駐在員管理、旅費及び生活費、法律、知的所有権、コンプライアンス、資金、ユーロ・プログラム、財務計画、決算報告、税統合、監査、及び保険のうちの少なくとも１つを含む統合領域リストを用いて構成されることを特徴とする請求項６６に記載のコンピュータ。
【請求項７４】
所定の統合領域のユーザ選択を受け取り、
前記選択された統合領域の所定の統合イベントのユーザ選択を受け取り、
計画された買収について、前記ユーザ選択の所定の統合領域及び統合イベントを用いて買収統合計画を作成する、
ようにコンピュータを制御するための、コンピュータにより実行可能なコンピュータ可読媒体。
【請求項７５】
前記コンピュータが、ユーザ定義の統合領域及びユーザ定義の統合イベントを受け取り、
前記ユーザ定義の統合領域及びユーザ定義の統合イベントを前記作成された統合計画に組み入れるようにさらに制御されることを特徴とする請求項７４に記載のコンピュータ可読媒体。
【請求項７６】
前記コンピュータが、表フォーマット及びウェブページ・フォーマットのうちの少なくとも１つで前記作成された統合計画を表示するようにさらに制御されることを特徴とする請求項７４に記載のコンピュータ可読媒体。
【請求項７７】
前記コンピュータが、ユーザ・フィードバックを前記媒体に格納するようにさらに制御されることを特徴とする請求項７４に記載のコンピュータ可読媒体。
【請求項７８】
前記コンピュータが、デュー・デリジェンス前、デュー・デリジェンス、署名後／終結前、終結後、及び業務移行のうちの少なくとも１つの見出しの下の少なくとも１つの統合領域の統合イベントを分類し、
各々の統合領域の各見出しの達成度を受け取る、
ようにさらに制御されることを特徴とする請求項７４に記載のコンピュータ可読媒体。
【請求項７９】
前記コンピュータが、買収統合事業計画内の全ての統合領域の達成度を表フォーマットで表示するようにさらに制御されることを特徴とする請求項７８に記載のコンピュータ可読媒体。
【発明の詳細な説明】
【技術分野】
【０００１】
本特許文献の開示の一部は、著作権保護を受ける資料を含む。本著作権者は、本特許文献が米国特許商標庁の特許ファイル又は記録に現れる場合に、本特許文献又は本特許開示を如何なる者が複製することにも異議はないが、そうでない場合には、全ての著作権を何であれ留保する。
【０００２】
本発明は、一般に、買収された企業を買収企業と統合することに関し、より具体的には、新しく買収された資産又は企業を別の資産又は企業に吸収する方法及びシステムに関する。
【背景技術】
【０００３】
本明細書で用いられる買収統合とは、新しく買収された資産（例えば、ポートフォリオ）又は企業を既存の資産又は企業に吸収する方法及びシステムを指す。例えば、買収統合は、ある企業が別の企業を買収する際に生じる。企業の買収は、多数の段階を含む。このような段階には、例えば、買収において達成すべき対象が定められるデュー・デリジェンス前段階、買収考慮中の候補企業を調査するデュー・デリジェンス段階、契約上の不測の事態が無効になる署名後／終結前（すなわち、契約書には署名されたが、実行条件はまだ有効でない）段階、買収される企業が買収企業の管理下に入る終結後（すなわち、契約が完全に有効となる）段階、及び前の２つの企業が単一の事業体として運営し始める業務移行段階が含まれる。
【０００４】
買収される企業の業務及びスタッフ機能を買収企業と一体化させることは、一般に、署名後／終結前段階で開始し、終結後段階に引き継がれる。署名後／終結前段階の間、例えば政府の調査及び承認のような契約上の不測の事態に関する複雑さ及び懸念のために、統合活動を最小限にすることがある。
【０００５】
統合は、これまで署名後／終結前段階と共に開始されていたが、デュー・デリジェンス段階前のような買収期間の連続の初期に統合を開始しようという試みがなされてきた。買収プロセスの初期に統合努力を開始する試みは、例えば、候補企業の特定と選別、及びこれまでは買収期間の連続体のずっと後期に行われていたタスクに関連した予期される不必要なコストの回避にリソースを集中するという要望のために、抵抗にあうことがある。
【０００６】
ある年を通じて多数の買収を行う企業は、買収に従事する個人のグループを任命する。種々の営利事業を有する大きな企業は、他のグループと異なる買収又は共通の買収に関して割り当てられた事業内で従事する多数のグループを任命することができる。しかしながら、一般に、買収グループは、候補企業を特定し、選択された候補企業についてデュー・デリジェンスを行い、選択された１つ又は複数の企業を買収するのに必要な契約について交渉し最終決定することに重点を置く。一旦契約が履行されると、買収グループは別の買収事業に移行する。今しがた完了した買収に従事したグループの一部のメンバーは、新しい業務に移ることができ、新しいメンバーが買収グループに割り当てられる。買収グループは、必ずしも統合の完了後に関係する必要がない。
【０００７】
結果として、グループのメンバーの各々によって買収プロセスを通して得られた知識及び経験を、必ずしも買収後の統合グループに伝えることができない。また、ある特定の統合に用いられたプロセスが、次の買収のために該プロセスの繰り返しを進めるような方法で形式的に獲得されない場合が多い。換言すれば、ある事業に従事するあるグループは、必ずしも別の事業に従事する別のグループと、或いは同じ事業の別のグループとさえ知識及び経験を共有するとは限らない。
【０００８】
買収のデュー・デリジェンス段階において、一般にはチェックリストが利用される。例えば、法律のデュー・デリジェンス・チェックリストは、企業の買収を検討する際に分析すべき見込まれる法的責任に関して懸案の領域を特定する。法律のデュー・デリジェンスを実行する個人は、懸案となる通常領域への対処を保証するのに役立つツールとしてチェックリストを用いることができる。
【０００９】
しかしながら、一般的にチェックリストは、デュー・デリジェンス段階において用いられ、買収プロセスの多数の段階にわたるものではない。さらに、チェックリストは、特定のタスクが完全に完了したかどうかを示すために用いられるものであり（例えば、タスクが部分的に完了した範囲は示さない）、特定の買収と共に実行されたプロセスの変化の獲得を容易にするものではない。したがって、特定の型の買収における買収プロセスの変化が広く伝達されず、事業全体にわたって容易に繰り返されないことが多い。
【００１０】
さらに、たとえチェックリストを用いても、関係者の数及び完了されるべきタスクの数のために、買収で配置される内部及び外部リソースにタスクを分かりやすく伝達し割り当てること、並びにタスクの完了及び結果を追跡することは、時間がかかり困難なことである。世界中に多数の拠点と多くの国に配置された何千人もの従業員とを有する多国籍企業の買収の場合には、完了されるべきタスクの伝達及び割り当ては、時間がかかり複雑なものである。
【発明の開示】
【発明が解決しようとする課題】
【００１１】
買収の成功、すなわち買収企業の目的の達成は、買収企業への買収される企業の統合によって決まる。こうした統合には、企業の業務だけでなく、管理構造及び企業文化も含まれる。したがって、買収統合と共に利用される方法及びシステムを改善することは、買収の成功の可能性を高めるはずである。
【課題を解決するための手段】
【００１２】
１つの態様において、少なくとも１つのユーザ選択の統合領域に基づいて、各々が買収プロセスにおける段階と関連した複数の所定の統合イベントを表示し、各々のユーザ選択の統合領域について、少なくとも１つのユーザ選択の所定の統合イベントを受け取り、各々のユーザ選択の統合領域について、該ユーザ選択の所定の統合イベントを表示し、各々のユーザ選択の所定の統合イベントの担当者名、期限、達成度、及びコメントのうちの少なくとも１つを表示し、該ユーザ選択の所定の統合イベント及び対応する統合領域を統合事業計画として格納する段階を含む、コンピュータにおいて買収統合事業計画を作成する方法が提供される。
【００１３】
別の態様において、少なくとも１つのユーザ選択の統合領域に基づいて、各々が買収プロセスにおける段階と関連した複数の所定の統合イベントを表示し、各々のユーザ選択の統合領域について少なくとも１つのユーザ選択の所定統合イベントを表示し、各々のユーザ選択の所定の統合イベントの担当者名、期日、達成度、及びコメントのうちの少なくとも１つを表示し、該ユーザ選択の所定の統合イベント及び対応する統合領域を買収統合事業計画として格納するようにプログラムされたコンピュータが提供される。
【００１４】
さらに別の態様において、少なくとも１つの統合領域に対応するデータと、各々の統合領域の統合イベントに対応するデータとを含む、買収統合のためのデータベースが提供される。
【００１５】
さらに別の態様において、少なくとも１つの統合領域の統合イベントに対応するデータを含むデータベースと、統合領域を選択するようにユーザを促し、該統合領域内の統合領域の状態に関する情報を提供するように構成されたサーバとを含む買収統合のためのシステムが提供される。
【００１６】
さらに別の態様において、電子インターフェースにより、複数の統合領域のうちの少なくとも１つを選択し、電子インターフェースを用いて、各々の統合領域の担当者を識別し、該インターフェースを介して、統合領域内の各々の統合イベントの担当者及び期日のうちの少なくとも１つを識別し、電子インターフェースにより、各々の統合イベントの達成度を要求する段階を含む、買収統合計画の方法が提供される。
【００１７】
さらに別の態様において、ユーザに少なくとも１つの統合領域を選択するように促すための手段と、該選択された統合領域の複数の統合イベントを表示するための手段と、選択された統合イベントを用いて統合買収事業計画を作成するための手段とを含む装置が提供される。
【００１８】
別の態様において、買収統合のために統合領域を管理するコード・セグメントと、各々の統合領域について統合イベントを組織化するコード・セグメントと、ユーザ選択の統合領域に基づいて１組の統合イベント及び成果物チェックリストを含む買収統合計画を作成し、統合プロセスを通じてユーザを案内するコード・セグメントとを含む、コンピュータ可読媒体上で具体化されたコンピュータ・プログラムが提供される。
【００１９】
さらに別の態様において、買収統合メイン・ユーザ・インターフェースにより、統合領域を選択するようにユーザに促し、該選択された統合領域の１組の選択可能な統合イベントを表示し、選択された統合イベントを組み入れる買収統合事業計画を作成する、コンピュータを作動させる方法が提供される。
【００２０】
さらの別の態様において、買収統合のメイン・ユーザ・インターフェースとして構成されたコンピュータ生成画面から統合領域を選択するようにユーザに促し、該選択された統合領域の１組の選択可能な統合イベントを表示し、ユーザ選択の統合イベントを組み入れる買収統合事業計画を作成するようにプログラムされたコンピュータが提供される。
【００２１】
さらに別の態様において、所定の統合領域のユーザ選択を受け取り、該選択された統合領域の所定の統合イベントのユーザ選択を受け取り、計画された買収について、該ユーザ選択の所定の統合領域及び統合イベントを用いて買収統合計画を作成するための、コンピュータにより実行可能なコンピュータ可読媒体が提供される。
【発明を実施するための最良の形態】
【００２２】
買収統合のための方法及びシステムの実施形態の説明が、以下に述べられる。本明細書で用いられる買収統合という用語は、新しく買収された資産（例えば、ポートフォリオ）又は企業を既存の資産又は企業に吸収するための方法及びシステムを指す。例えば、買収される企業が、買収企業を改善する「最良の実施」及び経営理念をもたらす可能性があることを認識しながら、該買収企業の理念及び業務システムを該買収される企業内に組み入れるために買収統合方法及びシステムが用いられる。ここで用いられる「最良の実施」という用語は、他の周知の方法及びシステムの結果に優るタスク又は機能を実行する方法及びシステムを指す。
【００２３】
この方法及びシステムは、特定の買収との関連で説明される場合もあるが、この方法及びシステムは、ある特定の型の買収だけに関連した実施に制限されるものではない。むしろ、この方法及びシステムは、多くの様々な型の資産及び企業の買収統合について用いることができる。
【００２４】
一般に、以下に説明される方法及びシステムは、容易に使えるものであり、統合に関連して実行されるタスクを分かりやすく伝達し追跡するのを助ける。この使いやすさが、全買収プロセスの初期における買収統合プロセスの開始を容易にする。さらに、以下に述べられるように、この方法及びシステムは、各々の買収の固有の態様に適応する融通性がある。この方法及びシステムにより、各々の買収において得られた知識及び経験も獲得され、このことが、こうした知識及び経験を買収統合の実行時に関係する他人と共有することを容易にし、最良の実施となるべく求められるプロセスの反復性を高めることになる。
【００２５】
ここで具体的に図面を参照すると、図１は、買収統合の事業計画を作成するためのプロセス段階を示すフローチャート２である。コンピュータ・ソフトウェア・コードに精通している人は、本明細書で説明されるコンピュータ・システム（図２及び図３に示される）によって実行可能なコンピュータ・プログラムを開発するために、（以下に説明される）様々なユーザ・インターフェースと共にフローチャート２を利用することができる。１つの実施例において、システム・ベースの買収統合ツールが、こうした計画を作成するためのフレームワークを提供する。具体的には、ユーザがシステムにログインした後、該システムは、買収統合メイン・ユーザ・インターフェースにより、例えばディスプレイを介して統合領域を選択する４ようにユーザを促す。所定の統合領域の例には、商業、業務、人事、法律、及び財政の領域が含まれる。もちろん、より少ない統合領域又はより多い統合領域をシステム内に設計することができる。一旦ユーザが統合領域を選択する４と、システムは、選択された統合領域の成果物チェックリストを含む１組の選択可能な所定の統合イベントを表示する６。各々の統合イベントは、それぞれの見出しの下に列挙され、各々の見出しは、買収プロセスにおける段階を表す。見出しの例には、デュー・デリジェンス前、デュー・デリジェンス、署名後／終結前、終結後、及び業務の移行が含まれる。さらに、成果物が、各々の見出しの下に列挙される。成果物のリストは、特定の統合イベントに関連した全てのタスクが完了したか否かを判断するために用いることができる。買収統合計画は、ユーザが選択した統合領域に基づいて形成され８、この計画は、各々の統合領域及び買収の段階の各々について、統合イベント及び成果物を含む。
【００２６】
ハードウェア・アーキテクチャの例に関する詳細（図２及び図３）、及び買収統合を容易にするようにシステムにより表示されるコンピュータ生成画面ショットの例（図４乃至図１９）が、以下に述べられる。さらに、所定の統合領域のリスト及び所定の統合イベントのリストが、図２０乃至図８１に示されている。以下に説明されるように、所定の統合領域及び統合イベントを用いて、ユーザがこれらの領域及びイベントを用いるカスタマイズされた統合計画を構築することができ、例えば、近く行われる買収統合の統合管理者のようなユーザは、該ユーザの買収統合に適切であると考える。もちろん、買収企業によって実行される最良の実施により、あらゆる買収統合事業計画に必要とされる特定の統合領域及び統合イベントがもたらされ得る。さらに、ユーザは、将来的にシステム管理者が所定の統合領域及び統合イベントに付加することができる特定の統合ニーズに基づいて、その統合にユーザ定義の統合領域及びイベントを付加することができる。ユーザは、統合チームによるアクセス及び使用のために、「顧客」統合計画を表又はウェブページとして格納することができる。このように、ユーザ及び統合チームに、買収統合プロセスに厳密さと一貫性をもたらす所定の統合領域及びイベントに基づいた買収統合計画、及び統合プロセスに柔軟性をもたらすユーザ定義の統合領域及びイベントが与えられる。また、統合買収の方法及びシステムの特定の実施形態が本明細書に説明されるが、この方法及びシステムは、こうした特定の実施形態に制限されるものではない。
【００２７】
ハードウェア・アーキテクチャ
ブロック図の形態の図２及び図３は、買収統合システムの実行と共に用いることができるハードウェア・アーキテクチャを示す。もちろん、このシステムは、多くの様々なプラットフォーム上で実行することができ、異なるアーキテクチャを用いることができる。したがって、図２及び図３に示されるアーキテクチャは、例証にすぎない。
【００２８】
より具体的には、図２は、ここではサーバ１２と呼ばれる場合があるサーバ・サブシステム１２と、サーバ１２に接続された複数のデバイス１４とを含むシステム１０のブロック図である。１つの実施形態において、デバイス１４は、ウェブ・ブラウザを含むコンピュータであり、サーバ１２は、イントラネットのようなネットワーク、又はインターネットのような広域エリア・ネットワークを介してデバイス１４にアクセス可能である。
【００２９】
デバイス１４は、ダイアルイン接続、ケーブルモデム、及び高速回線を含む多くのインターフェースを通じて、ローカル・エリア・ネットワーク（ＬＡＮ）又は広域エリア・ネットワーク（ＷＡＮ）のようなネットワークに相互接続される。或いは、デバイス１４は、ウェブ・ベースの電話又はウェブ・ベースの他の接続可能な機器を含むネットワークに相互接続することができる何らかのデバイスである。サーバ１２は、集中型データベース１８に接続されたデータベース・サーバ１６を含む。１つの実施形態において、集中型データベース１８は、データベース・サーバ１６上に格納され、ユーザ・デバイス１４の１つを通じてサーバ・サブシステム１２にログインすることによって、ユーザ・デバイス１４の潜在的ユーザによりアクセスされる。別の実施形態において、集中型データベース１８は、サーバ１２から遠隔位置で格納される。
【００３０】
図３は、ネットワーク・ベースのシステム２２のブロック図である。システム２２は、サーバ・サブシステム１２とユーザ・デバイス１４とを含む。サーバ・サブシステム１２は、データベース・サーバ１６、アプリケーション・サーバ２４、ウェブ・サーバ２６、ファックス・サーバ２８、ディレクトリ・サーバ３０、及びメール・サーバ３２を含む。コンピュータ可読媒体を組み込むディスク記憶ユニット３４が、データベース・サーバ１６及びディレクトリ・サーバ３０に接続される。サーバ１２、２４、２６、２８、及び３０は、ローカル・エリア・ネットワーク（ＬＡＮ）３６内で接続される。さらに、システム管理者ワークステーション３８、ワークステーション４０、及び監視ワークステーション４２が、ＬＡＮ３６に接続される。或いは、ワークステーション３８、４０、及び４２は、インターネット・リンクを介してＬＡＮ３６に接続されるか、又はイントラネットを通じて接続することができる。
【００３１】
各々のワークステーション３８、４０、及び４２は、ウェブ・ブラウザを含むパーソナル・コンピュータである。一般に、ワークステーションで実行される機能は、それぞれのワークステーション３８、４０、及び４２で実行されるように示されるが、ＬＡＮ３６に接続された多くのパーソナル・コンピュータの１つでこのような機能を実行することができる。ワークステーション３８、４０、及び４２は、ＬＡＮ３６へのアクセスを有する個人が実行できる異なる型の機能の理解を容易にするためだけに、別個の機能と関連して示される。
【００３２】
サーバ・サブシステム１２は、ＩＳＰインターネット接続４８を介して、様々な個人又は従業員４４、及びユーザ４６のような第三者に通信可能に接続されるように構成される。説明される実施形態における通信は、インターネットを介して実行されるように示されるが、他の実施形態においては、どのような他の広域エリア・ネットワーク（ＷＡＮ）型の通信を利用することもでき、すなわち、このシステム及び方法は、インターネットを介して実施されるものに制限されるものではない。さらに、ＷＡＮ５０ではなく、ローカル・エリア・ネットワーク３６を、ＷＡＮ５０の代わりに用いることもできる。
【００３３】
説明された実施形態において、ワークステーション５２を有する従業員４４又はユーザ４６は、サーバ・サブシステム１２にアクセスすることができる。ユーザ・デバイス１４の１つは、遠隔位置に配置されたワークステーション５４を含む。ワークステーション５２及び５４は、ウェブ・ブラウザを含むパーソナル・コンピュータである。また、ワークステーション５２及び５４は、サーバ・サブシステム１２と通信するように構成されている。さらに、ファックス・サーバ２８が、企業体の外部に位置する従業員４４及びユーザ４６と通信し、及び電話リンクを介してユーザ・システム５６を含む遠隔配置された顧客システムのいずれかと通信する。ファックス・サーバ２８は、他のワークステーション３８、４０、及び４２とも通信するように構成される。
【００３４】
ユーザ・インターフェース（画面ショット）
図４は、買収統合のフレームワーク・ツールのログイン・ユーザ・インターフェース１００の実施例である。許可されたユーザは、有効なユーザ名及びパスワードを入力することによって、買収用フレームワーク・ツールにアクセスすることができる。パスワードを忘れた場合には、ユーザが、システム管理者にパスワードを忘れたことを通知できるリンクが存在する。図４に示されるユーザ・インターフェース１００の実施形態において、ユーザでない者がアカウントを要求できるリンクも与えられる。
【００３５】
図５は、買収統合フレームワーク・ツールの買収統合メイン・ユーザ・インターフェース１１０の実施例である。メイン・ユーザ・インターフェース１１０は、商業、業務、人事、法律、及び財政についての見出しを含む。ユーザにより選択可能な所定の統合領域の分類が、各々の見出しの下にある。見出し又は見出し下の統合領域を選択することにより、選択された統合領域の所定の統合イベントが表示される。さらに表示は、選択された統合領域の担当者名を含む。１つの実施形態において、統合領域及び統合イベントに対応するデータは、データベース１８（図２に示される）内に格納される。
【００３６】
ユーザ・インターフェース１１０上に示されるように、ユーザが選択できる所定の組の統合領域の実施例は、商業の見出しの下に、販売及びマーケティング、電子商取引、顧客サービス及び収集を含む金融サービス、及び部品外注を含む。業務の見出しの下では、所定の統合領域は、製品、サービス、リスク、シックス・シグマ、及びシステム／情報技術を含む。ここで用いられるシックス・シグマという用語は、不具合の数を数量的目標（すなわち、シックス・シグマ）まで減少させるための品質イニシアチブを指す。製品統合領域は、製造、技術、物流管理、並びに環境衛生及び安全（ＥＨＳ）についての統合領域を含む。
【００３７】
図示される実施形態において、人事統合領域の見出しは、コミュニケーション、文化、及び組織開発、労使関係、従業員福利、補償、雇用慣行、及び厚生の実施（給与福利、海外駐在員管理、旅費及び生活費）を含む戦略についての所定の統合領域を含む。
【００３８】
図示される実施形態において、法律の統合領域の見出しは、法律、知的所有権、及びコンプライアンスについての所定の統合領域を含む。財政の統合領域は、資金、ユーロ・プログラム、財務計画、決算報告、税統合、監査、及び保険を含む。
【００３９】
選択可能なリンクがユーザ・インターフェース１１０上にさらに含まれ、これを選ぶことにより、ビジネス・リーダー、デュー・デリジェンス・リーダー、及び統合リーダーのための所定の統合イベントが、これらのリーダー間の関係についてのグラフ表示でユーザに提供される。ユーザはさらに、買収統合フレームワーク（ＡＩＦ）の概要又はフィードバック・リンク（両方共以下に説明される）を選択し、システム機能に関するコメントを管理者に提供することができる。
【００４０】
図６は、データベース１８（図２に示される）に保存し、ユーザ定義の統合領域及び統合イベントをシステム管理者に発信するためユーザがコメントを入力できるコメント領域を示す、買収統合フレームワーク・ツールの返信ユーザ・インターフェース１２０の実施例である。
【００４１】
図７は、ＡＩＦ概要ユーザ・インターフェース１３０の実施例である。図示されるＡＩＦ概要に加えて、ユーザ・インターフェース１３０の１つの実施形態は、ＤＭＡＩＣ（定義、測定、分析、実施、及び制御）統合プロセス、交渉の余地のないもの（事業の実施に不可欠な要素）、及びＡＩＦの特徴についての説明を含む。ＡＩＦ概要に対応するデータは、システム１０による表示のために、データベース１８内に格納される。ＡＩＦ概要ユーザ・インターフェース１３０は、買収統合のフレームワークの基礎をなす理念を説明し、ユーザに買収統合の重要な態様について知らせるために用いられる。
【００４２】
図８及び図９は、ビジネス・リーダー統合領域及び成果物チェックリストのユーザ・インターフェースの実施例である。このユーザ・インターフェースの第１の部分１４０には、ＡＩＦメイン・ユーザ・インターフェース１１０（図５に示される）、概要ユーザ・インターフェース、「べし・べからず集」ユーザ・インターフェース、連絡ユーザ・インターフェース、及び例示ユーザ・インターフェース、リンク・ユーザ・インターフェース、及び事業計画ユーザ・インターフェースへのリンクがある。概要、「べし・べからず集」、連絡、例示ユーザ・インターフェース、リンク・ユーザ・インターフェース、及び事業計画へのリンクは、表示される統合領域のために構成されることに注意すべきである。例えば、第１の部分１４０において「べし・べからず集」を選択すると、買収統合においてビジネス・リーダーがなすべきこと、及びなすべきでないことについての説明を表示する。統合領域内のリンクについてのより詳細な説明が以下に含まれる。
【００４３】
第１の部分１４０はさらに、ビジネス・リーダーの見出しの下に、ここでは統合イベントの分類の見出しとして示される買収統合の段階のグラフ表示も含む。見出しは、デュー・デリジェンス前、デュー・デリジェンス、署名後／終結前、終結後、及び業務移行の各トピックスを含む。統合領域について列挙された所定の統合イベントが、見出しのトピックスの下に列挙される。以下に説明されるように、各統合イベントは、ユーザによって選択可能であり、統合イベントを選択することにより、該統合イベントを説明する画面が表示される。
【００４４】
図９は、ビジネス・リーダー統合領域及び成果物チェックリストのユーザ・インターフェースの第２の部分１５０である。第２の部分１５０は、上述の見出しの下に、統合チームが次の見出しに移る前に完了すべき成果物を含む。成果物チェックリストは、データベース１８（図２に示される）内に格納される。例えば、デュー・デリジェンスに進む前に、成果物「任命された統合リーダー／任命された運営委員会」及び「料金所の決定への参加」が、デュー・デリジェンス前段階において完了し、点検される。料金所の例は、チェックリスト上の成果物の完全性を再点検し、統合が、次の段階、例えば終結前から終結後に進むことができるかどうかを判断するための会議又は電話会議である。
【００４５】
図１０は、例えば、図８に示される統合イベントのような統合イベントの選択時に表示される統合イベント説明ユーザ・インターフェース１６０の実施例である。特に、ユーザ・インターフェース１６０は、買収統合に関連した管理者へのアドバイスを示し、前の管理表示（図１１に説明される）へのリンクを含む、ターゲット管理ユーザ・インターフェースへの概要を表す段階２１００を示す。統合イベントの担当者は、完全性を判断し、１つ又はそれ以上の統合イベントの達成度を更新することから、該担当者にとって統合イベントの説明は重要である。
【００４６】
図１１は、サンプル表示ユーザ・インターフェース１７０、特に統合イベントの説明中で管理表示リンクを選択した時に表示される管理表示の実施例である。この管理表示の内容は統合イベントごとに変わることになるが、ユーザ・インターフェース１７０は、サンプル表示が通常、以前に表示され、システム１０を用いて買収統合ツールに添付された、例えばスライド表示のような添付ファイルであることを示している。統合イベントの表示及び説明に対応するデータは、データベース１８（図２に示される）内に格納される。
【００４７】
図１２は、知的所有権統合領域ユーザ・インターフェース２００の実施例である。ユーザ・インターフェース２００に示されるように、知的所有権買収統合タスクについて、前に説明されたデュー・デリジェンス前、デュー・デリジェンス、署名後／終結前、終結後、及び業務移行の見出しの下に列挙された多数の所定の統合イベントがある。さらに、ＡＩＦメイン・ユーザ・インターフェース、知的所有権概要ユーザ・インターフェース、知的所有権「べし・べからず集」ユーザ・インターフェース、知的所有権連絡ユーザ・インターフェース、知的所有権例示ユーザ・インターフェース、知的所有権リンク・ユーザ・インターフェース、及び知的所有権事業計画ユーザ・インターフェースへのリンクが、ユーザ・インターフェース２００に含まれる。図１３は、一般に知的所有権統合領域ユーザ・インターフェース２００とともに表示される知的所有権成果物チェックリスト２１０を含む。チェックリスト２１０は、次の見出し（例えば、デュー・デリジェンス）に進む前に、各々の見出し（例えば、デュー・デリジェンス前）について完了されるべき知的所有権の「成果物」を含む。
【００４８】
図１４は、知的所有権統合リーダーに割り当てられた知的所有権の買収統合タスク・リストを説明する知的所有権概要ユーザ・インターフェース２２０の実施例である。ユーザ・インターフェース２２０は、知的所有権統合領域ユーザ・インターフェース２００（図１２に示される）に説明される概要リンクを選択することによってアクセスされる。
【００４９】
図１５は、ターゲット企業の知的所有権の買収統合の管理者にアドバイスを与える、知的所有権「べし・べからず集」ユーザ・インターフェース２３０の実施例である。ユーザ・インターフェース２３０は、どの行為を取るべきであり、どの行為を回避すべきかに関するアドバイスを提供する。
【００５０】
図１６は、知的所有権買収統合問題に直面する際に知識源として指名された個人についての連絡先を示す知的所有権連絡ユーザ・インターフェース２４０の実施例である。
【００５１】
図１７は、デュー・デリジェンス前、デュー・デリジェンスの間、及び署名後／終結前段階の間に実行されることになる所定の知的所有権買収統合イベント又はタスクを示す、知的所有権統合事業計画２５０の一部の実施例である。ユーザ・インターフェース２５０の続き（図示せず）は、終結後及び通常の業務移行段階の間に行われる統合イベントを識別する。各々の統合イベントについての統合事業計画２５０において、該統合イベントの担当者名（例えば、責任者）、達成度、期日、及び統合イベントに関する何らかのコメントが列挙される。ユーザ・インターフェース２５０は、達成されるべき統合イベントをさらに定める、ユーザ・インターフェース２００（図１２に示される）に列挙されていない統合サブイベントをさらに含む。
【００５２】
図１８は、ユーザにより特定の用語が入力された場合に、該ユーザが買収統合ツールを検索することができる検索ＡＩＦユーザ・インターフェース２６０の実施例である。
【００５３】
図１９は、統合イベントを分類するのに用いられる統合領域及び見出しの各々について計画に対する達成度を示す、統合進行報告ユーザ・インターフェース２７０の実施例である。具体的には、デュー・デリジェンス前、デュー・デリジェンス、署名後／終結前、終結後、及び業務移行段階を含む買収統合の段階により生じた買収の統合に関するプロセスが示される。
【００５４】
図２０乃至図８１は、次の所定の統合領域：ビジネス・リーダー、統合管理者、デュー・デリジェンス・リーダー、販売／マーケティング、電子商取引、顧客サービス、収集、製造、技術、物流管理、ＥＨＳ、修理、リスク管理、シックス・シグマ、情報技術、コミュニケーション、文化、人事（ＨＲ）戦略、ＨＲ労使関係、ＨＲ従業員福利、ＨＲ補償、ＨＲ雇用慣行、給与福利、海外駐在員管理、旅費及び生活費、法律、知的所有権、コンプライアンス、資金、ユーロ・プログラム、財務計画、決算報告、税統合、監査、及び保険についての所定の統合イベントを含む買収統合計画の実施例を含む。
【００５５】
上に列挙された買収統合領域の各々は、メイン・ユーザ・インターフェース１１０（図５に示される）によりアクセス可能であり、いずれかの領域を選択することにより、統合領域の統合イベント及び成果物チェックリスト・ユーザ・インターフェースが表示される（図８及び図９に示されるものと同様）。さらに、システム１０が上に列挙された統合領域の統合領域及び成果物チェックリスト・ユーザ・インターフェースを表示する際に、統合イベントは、表示される統合イベントの説明について選択可能である。また、統合領域及び成果物チェックリスト・ユーザ・インターフェースにより、概要、「べし・べからず集」、連絡、例示、リンク、及び事業計画は、上述のような表示において選択可能である。
【００５６】
システム１０を使用することにより、ある企業体を別の企業体に合併させる際に、関係する買収統合タスクを実行するのに必要とされるリソースが統合チームに提供される。システム１０は、前の統合経験から収集され、買収の統合を行う際に円滑な移行及び反復可能なプロセスを提供するために、ユーザが集められた知識を使用するのを可能にするフォーマットで示される知識デポジトリ（例えば、対象領域の知識の専門家からの入力に基づいた買収統合データベース）をユーザに提供することによって、統合リソースを構成する。ユーザには、所定の統合領域及びイベントから統合領域及びイベントを選択することによって、ユーザがユーザ自身の買収統合計画を準備することができる統合事業管理ツールがさらに提供され、ユーザが決定する統合管理者は買収統合に関係する。該統合管理者は、格納された経験の厳密さ、反復可能性、及び利点を統合プロセスにもたらすために、選択された統合領域及びイベントを使用する。統合管理者はまた、個々の買収統合ニーズに基づいて、ユーザ定義の領域及びイベントを自由に付加することもできる。
【００５７】
本発明は、様々な特定の実施形態に関して説明されたが、当業者であれば、特許請求の範囲の精神及び範囲内の修正を用いて本発明を実行できることが理解されよう。
【図面の簡単な説明】
【００５８】
【図１】機能的な買収統合計画を作成するためのプロセス段階を示すフローチャート。
【図２】システムのブロック図。
【図３】ネットワーク・ベースのシステムのブロック図。
【図４】買収統合フレームワーク・ツールのログイン・ユーザ・インターフェースの実施例。
【図５】買収統合フレームワーク・ツールのメイン・ユーザ・インターフェースの実施例。
【図６】返信ユーザ・インターフェースの実施例。
【図７】ＡＩＦ概要ユーザ・インターフェースの実施例。
【図８】ビジネス・リーダー統合領域ユーザ・インターフェースの実施例。
【図９】ビジネス・リーダー統合領域及び成果物チェックリストユーザ・インターフェースの第２の部分。
【図１０】統合イベント説明ユーザ・インターフェースの実施例。
【図１１】管理表示ユーザ・インターフェースの実施例。
【図１２】知的所有権統合領域ユーザ・インターフェースの実施例。
【図１３】知的所有権成果物チェックリスト。
【図１４】知的所有権概要ユーザ・インターフェースの実施例。
【図１５】知的所有権「べし・べからず集」ユーザ・インターフェースの実施例。
【図１６】知的所有権連絡ユーザ・インターフェースの実施例。
【図１７】知的所有権統合事業計画の一部の実施例。
【図１８】検索ＡＩＦユーザ・インターフェースの実施例。
【図１９】統合進度報告ユーザ・インターフェースの実施例。
【図２０】各々の統合領域の所定の統合領域及び所定の統合イベントのリストを列挙する表。
【図２１】各々の統合領域の所定の統合領域及び所定の統合イベントのリストを列挙する表。
【図２２】各々の統合領域の所定の統合領域及び所定の統合イベントのリストを列挙する表。
【図２３】各々の統合領域の所定の統合領域及び所定の統合イベントのリストを列挙する表。
【図２４】各々の統合領域の所定の統合領域及び所定の統合イベントのリストを列挙する表。
【図２５】各々の統合領域の所定の統合領域及び所定の統合イベントのリストを列挙する表。
【図２６】各々の統合領域の所定の統合領域及び所定の統合イベントのリストを列挙する表。
【図２７】各々の統合領域の所定の統合領域及び所定の統合イベントのリストを列挙する表。
【図２８】各々の統合領域の所定の統合領域及び所定の統合イベントのリストを列挙する表。
【図２９】各々の統合領域の所定の統合領域及び所定の統合イベントのリストを列挙する表。
【図３０】各々の統合領域の所定の統合領域及び所定の統合イベントのリストを列挙する表。
【図３１】各々の統合領域の所定の統合領域及び所定の統合イベントのリストを列挙する表。
【図３２】各々の統合領域の所定の統合領域及び所定の統合イベントのリストを列挙する表。
【図３３ａ】各々の統合領域の所定の統合領域及び所定の統合イベントのリストを列挙する表。
【図３３ｂ】各々の統合領域の所定の統合領域及び所定の統合イベントのリストを列挙する表。
【図３４】各々の統合領域の所定の統合領域及び所定の統合イベントのリストを列挙する表。
【図３５】各々の統合領域の所定の統合領域及び所定の統合イベントのリストを列挙する表。
【図３６】各々の統合領域の所定の統合領域及び所定の統合イベントのリストを列挙する表。
【図３７】各々の統合領域の所定の統合領域及び所定の統合イベントのリストを列挙する表。
【図３８】各々の統合領域の所定の統合領域及び所定の統合イベントのリストを列挙する表。
【図３９】各々の統合領域の所定の統合領域及び所定の統合イベントのリストを列挙する表。
【図４０】各々の統合領域の所定の統合領域及び所定の統合イベントのリストを列挙する表。
【図４１】各々の統合領域の所定の統合領域及び所定の統合イベントのリストを列挙する表。
【図４２ａ】各々の統合領域の所定の統合領域及び所定の統合イベントのリストを列挙する表。
【図４２ｂ】各々の統合領域の所定の統合領域及び所定の統合イベントのリストを列挙する表。
【図４２ｃ】各々の統合領域の所定の統合領域及び所定の統合イベントのリストを列挙する表。
【図４３】各々の統合領域の所定の統合領域及び所定の統合イベントのリストを列挙する表。
【図４４】各々の統合領域の所定の統合領域及び所定の統合イベントのリストを列挙する表。
【図４５】各々の統合領域の所定の統合領域及び所定の統合イベントのリストを列挙する表。
【図４６】各々の統合領域の所定の統合領域及び所定の統合イベントのリストを列挙する表。
【図４７】各々の統合領域の所定の統合領域及び所定の統合イベントのリストを列挙する表。
【図４８】各々の統合領域の所定の統合領域及び所定の統合イベントのリストを列挙する表。
【図４９】各々の統合領域の所定の統合領域及び所定の統合イベントのリストを列挙する表。
【図５０】各々の統合領域の所定の統合領域及び所定の統合イベントのリストを列挙する表。
【図５１】各々の統合領域の所定の統合領域及び所定の統合イベントのリストを列挙する表。
【図５２】各々の統合領域の所定の統合領域及び所定の統合イベントのリストを列挙する表。
【図５３】各々の統合領域の所定の統合領域及び所定の統合イベントのリストを列挙する表。
【図５４】各々の統合領域の所定の統合領域及び所定の統合イベントのリストを列挙する表。
【図５５】各々の統合領域の所定の統合領域及び所定の統合イベントのリストを列挙する表。
【図５６】各々の統合領域の所定の統合領域及び所定の統合イベントのリストを列挙する表。
【図５７】各々の統合領域の所定の統合領域及び所定の統合イベントのリストを列挙する表。
【図５８】各々の統合領域の所定の統合領域及び所定の統合イベントのリストを列挙する表。
【図５９】各々の統合領域の所定の統合領域及び所定の統合イベントのリストを列挙する表。
【図６０】各々の統合領域の所定の統合領域及び所定の統合イベントのリストを列挙する表。
【図６１】各々の統合領域の所定の統合領域及び所定の統合イベントのリストを列挙する表。
【図６２】各々の統合領域の所定の統合領域及び所定の統合イベントのリストを列挙する表。
【図６３】各々の統合領域の所定の統合領域及び所定の統合イベントのリストを列挙する表。
【図６４】各々の統合領域の所定の統合領域及び所定の統合イベントのリストを列挙する表。
【図６５】各々の統合領域の所定の統合領域及び所定の統合イベントのリストを列挙する表。
【図６６】各々の統合領域の所定の統合領域及び所定の統合イベントのリストを列挙する表。
【図６７】各々の統合領域の所定の統合領域及び所定の統合イベントのリストを列挙する表。
【図６８】各々の統合領域の所定の統合領域及び所定の統合イベントのリストを列挙する表。
【図６９】各々の統合領域の所定の統合領域及び所定の統合イベントのリストを列挙する表。
【図７０】各々の統合領域の所定の統合領域及び所定の統合イベントのリストを列挙する表。
【図７１】各々の統合領域の所定の統合領域及び所定の統合イベントのリストを列挙する表。
【図７２】各々の統合領域の所定の統合領域及び所定の統合イベントのリストを列挙する表。
【図７３】各々の統合領域の所定の統合領域及び所定の統合イベントのリストを列挙する表。
【図７４】各々の統合領域の所定の統合領域及び所定の統合イベントのリストを列挙する表。
【図７５】各々の統合領域の所定の統合領域及び所定の統合イベントのリストを列挙する表。
【図７６】各々の統合領域の所定の統合領域及び所定の統合イベントのリストを列挙する表。
【図７７】各々の統合領域の所定の統合領域及び所定の統合イベントのリストを列挙する表。
【図７８】各々の統合領域の所定の統合領域及び所定の統合イベントのリストを列挙する表。
【図７９】各々の統合領域の所定の統合領域及び所定の統合イベントのリストを列挙する表。
【図８０】各々の統合領域の所定の統合領域及び所定の統合イベントのリストを列挙する表。
【符号の説明】
【００５９】
２  フローチャート
１０、２２  システム
１２  サーバ
１４  デバイス
１６  データベース・サーバ
１８  データベース
２２  アプリケーション・サーバ
２６  ウェブ・サーバ
２８  ファックス・サーバ
３０  ディレクトリ・サーバ
３２  メール・サーバ
３４  ディスク記憶ユニット
【図１】
2004535629.tif 000003
【図２】
2004535629.tif 000004
【図３】
2004535629.tif 000005
【図４】
2004535629.tif 000006
【図５】
2004535629.tif 000007
【図６】
2004535629.tif 000008
【図７】
2004535629.tif 000009
【図８】
2004535629.tif 000010
【図９】
2004535629.tif 000011
【図１０】
2004535629.tif 000012
【図１２】
2004535629.tif 000013
【図１３】
2004535629.tif 000014
【図１４】
2004535629.tif 000015
【図１５】
2004535629.tif 000016
【図１６】
2004535629.tif 000017
【図１７】
2004535629.tif 000018
【図１８】
2004535629.tif 000019
【図１９】
2004535629.tif 000020
【図２０】
2004535629.tif 000021
【図２１】
2004535629.tif 000022
【図２２】
2004535629.tif 000023
【図２３】
2004535629.tif 000024
【図２４】
2004535629.tif 000025
【図２５】
2004535629.tif 000026
【図２６】
2004535629.tif 000027
【図２７】
2004535629.tif 000028
【図２８】
2004535629.tif 000029
【図２９】
2004535629.tif 000030
【図３０】
2004535629.tif 000031
【図３１】
2004535629.tif 000032
【図３２】
2004535629.tif 000033
【図３３ａ】
2004535629.tif 000034
【図３３ｂ】
2004535629.tif 000035
【図３４】
2004535629.tif 000036
【図３５】
2004535629.tif 000037
【図３６】
2004535629.tif 000038
【図３７】
2004535629.tif 000039
【図３８】
2004535629.tif 000040
【図３９】
2004535629.tif 000041
【図４０】
2004535629.tif 000042
【図４１】
2004535629.tif 000043
【図４２ａ】
2004535629.tif 000044
【図４２ｂ】
2004535629.tif 000045
【図４２ｃ】
2004535629.tif 000046
【図４３】
2004535629.tif 000047
【図４４】
2004535629.tif 000048
【図４５】
2004535629.tif 000049
【図４６】
2004535629.tif 000050
【図４７】
2004535629.tif 000051
【図４８】
2004535629.tif 000052
【図４９】
2004535629.tif 000053
【図５０】
2004535629.tif 000054
【図５１】
2004535629.tif 000055
【図５２】
2004535629.tif 000056
【図５３】
2004535629.tif 000057
【図５４】
2004535629.tif 000058
【図５５】
2004535629.tif 000059
【図５６】
2004535629.tif 000060
【図５７】
2004535629.tif 000061
【図５８】
2004535629.tif 000062
【図５９】
2004535629.tif 000063
【図６０】
2004535629.tif 000064
【図６１】
2004535629.tif 000065
【図６２】
2004535629.tif 000066
【図６３】
2004535629.tif 000067
【図６４】
2004535629.tif 000068
【図６５】
2004535629.tif 000069
【図６６】
2004535629.tif 000070
【図６７】
2004535629.tif 000071
【図６８】
2004535629.tif 000072
【図６９】
2004535629.tif 000073
【図７０】
2004535629.tif 000074
【図７１】
2004535629.tif 000075
【図７２】
2004535629.tif 000076
【図７３】
2004535629.tif 000077
【図７４】
2004535629.tif 000078
【図７５】
2004535629.tif 000079
【図７６】
2004535629.tif 000080
【図７７】
2004535629.tif 000081
【図７８】
2004535629.tif 000082
【図７９】
2004535629.tif 000083
【図８０】
2004535629.tif 000084
【図１１】
2004535629.tif 000085
【国際公開パンフレット】
2004535629.tif 000086
2004535629.tif 000087
2004535629.tif 000088
2004535629.tif 000089
2004535629.tif 000090
2004535629.tif 000091
2004535629.tif 000092
2004535629.tif 000093
2004535629.tif 000094
2004535629.tif 000095
2004535629.tif 000096
2004535629.tif 000097
2004535629.tif 000098
2004535629.tif 000099
2004535629.tif 000100
2004535629.tif 000101
2004535629.tif 000102
2004535629.tif 000103
2004535629.tif 000104
2004535629.tif 000105
2004535629.tif 000106
2004535629.tif 000107
2004535629.tif 000108
2004535629.tif 000109
2004535629.tif 000110
2004535629.tif 000111
2004535629.tif 000112
2004535629.tif 000113
2004535629.tif 000114
2004535629.tif 000115
2004535629.tif 000116
2004535629.tif 000117
2004535629.tif 000118
2004535629.tif 000119
2004535629.tif 000120
2004535629.tif 000121
2004535629.tif 000122
2004535629.tif 000123
2004535629.tif 000124
2004535629.tif 000125
2004535629.tif 000126
2004535629.tif 000127
2004535629.tif 000128
2004535629.tif 000129
2004535629.tif 000130
2004535629.tif 000131
2004535629.tif 000132
2004535629.tif 000133
2004535629.tif 000134
2004535629.tif 000135
2004535629.tif 000136
2004535629.tif 000137
2004535629.tif 000138
2004535629.tif 000139
2004535629.tif 000140
2004535629.tif 000141
2004535629.tif 000142
2004535629.tif 000143
2004535629.tif 000144
2004535629.tif 000145
2004535629.tif 000146
2004535629.tif 000147
2004535629.tif 000148
2004535629.tif 000149
2004535629.tif 000150
2004535629.tif 000151
2004535629.tif 000152
2004535629.tif 000153
2004535629.tif 000154
2004535629.tif 000155
2004535629.tif 000156
2004535629.tif 000157
2004535629.tif 000158
2004535629.tif 000159
2004535629.tif 000160
2004535629.tif 000161
2004535629.tif 000162
2004535629.tif 000163
2004535629.tif 000164
2004535629.tif 000165
2004535629.tif 000166
2004535629.tif 000167
2004535629.tif 000168
2004535629.tif 000169
2004535629.tif 000170
2004535629.tif 000171
2004535629.tif 000172
2004535629.tif 000173
2004535629.tif 000174
2004535629.tif 000175
2004535629.tif 000176
2004535629.tif 000177
2004535629.tif 000178
2004535629.tif 000179
2004535629.tif 000180
2004535629.tif 000181
2004535629.tif 000182
2004535629.tif 000183
2004535629.tif 000184
2004535629.tif 000185
2004535629.tif 000186
2004535629.tif 000187
2004535629.tif 000188
2004535629.tif 000189
2004535629.tif 000190
2004535629.tif 000191
2004535629.tif 000192
2004535629.tif 000193
2004535629.tif 000194
2004535629.tif 000195
2004535629.tif 000196
2004535629.tif 000197
2004535629.tif 000198
2004535629.tif 000199
【国際公開パンフレット（コレクトバージョン）】
2004535629.tif 000200
2004535629.tif 000201
【国際調査報告】
2004535629.tif 000202
2004535629.tif 000203